(57)【要約】【課題】４Ｋ映像などの高解像度の映像を、一旦、低解像度の映像にし、再度、高解像度の映像に戻した場合、当該高解像度の映像、劣化が少なく、高品位な状態で表示させること。【解決手段】映像分割装置１０１は、第一解像度の映像を、当該第一解像度の映像よりも低解像度の第二解像度の映像に分割し、映像合成装置２０１は、上記第二解像度の映像を用いて上記第一解像度の映像を合成する。【選択図】図１
2013247582.tif 000002
【特許請求の範囲】
【請求項１】
第一解像度の映像を複数に分割して得られる、当該第一解像度よりも低い第二解像度の映像を用いて、上記第一解像度の映像を合成することを特徴とする映像合成方法。
【請求項２】
複数に分割された第二解像度の映像のうち、少なくとも２つの第二解像度の映像を用いて、第一解像度の映像を合成することを特徴とする請求項１に記載の映像合成方法。
【請求項３】
複数に分割された第二解像度の映像の全てを用いて、第一解像度の映像を合成することを特徴とする請求項１または２に記載の映像合成方法。
【請求項４】
上記第一解像度の映像は、放送波や映像メディアにおいて規格化されていない解像度の映像であり、
上記第二解像度の映像は、放送波や映像メディアにおいて規格化されている解像度の映像であることを特徴とする請求項１〜３の何れか１項に記載の映像合成方法。
【請求項５】
上記第一解像度の映像は、解像度が３８４０×２１６０の映像であり、
上記第二解像度の映像は、解像度が１９２０×１０８０の映像であることを特徴とする請求項１〜４の何れかに記載の映像合成方法。
【請求項６】
第一解像度の映像を、当該第一解像度よりも低い第二解像度の映像に分割し、
分割して得られた複数の第二解像度の映像を、映像再生装置で再生可能な記録媒体に記録することを特徴とする映像記録方法。
【請求項７】
上記第一解像度の映像は、放送波や映像メディアにおいて規格化されていない解像度の映像であり、
上記第二解像度の映像は、放送波や映像メディアにおいて規格化されている解像度の映像であることを特徴とする請求項６に記載の映像記録方法。
【請求項８】
上記第一解像度の映像は、解像度が３８４０×２１６０の映像であり、
上記第二解像度の映像は、解像度が１９２０×１０８０の映像であるとき、
複数に分割された第二解像度の映像のうち、２つの第二解像度の映像を、３Ｄ映像用フォーマットで記録媒体に記録することを特徴とする請求項７に記載の映像記録方法
【請求項９】
第一解像度の映像を複数に分割して得られる、当該第一解像度よりも低い第二解像度の映像を用いて、上記第一解像度の映像を合成する映像合成部を有することを特徴とする映像合成装置。
【請求項１０】
第一解像度の映像を、当該第一解像度よりも低い第二解像度の映像に分割する映像分割部と、
上記映像分割部によって分割された第二解像度の映像を、映像再生装置で再生可能な記録媒体に記録する記録部とを有することを特徴とする映像記録装置。
【請求項１１】
第一解像度の映像を、当該第一解像度よりも低い第二解像度の映像に分割する映像分割部と、
上記映像分割部によって得られた第二の解像度の映像を用いて、上記第一解像度の映像を合成する映像合成部と、
上記映像合成部によって合成された映像を表示する表示部とを備えたことを特徴とする映像表示システム。
【発明の詳細な説明】
【技術分野】
【０００１】
本発明は、放送波や映像メディアにおいて現在規格化されていないような高解像度の映像を表示するための映像表示システムに関する。
【背景技術】
【０００２】
従来、送信側で、高解像度の映像信号を低解像度の映像信号に分割して送信し、受信側で、分割された低解像度の映像信号を合成して、高解像度の映像を表示する技術が特許文献１に開示されている。
【０００３】
また、近年、Ｆｕｌｌ  ＨＤの解像度（１９２０×１０８０）よりも高解像度の４Ｋカメラ、４Ｋ映像編集器、４Ｋ−ＴＶが普及し始めている。ここで、４Ｋとは、３８４０×２１６０や４０９６×２１６０相当の解像度をいう。４Ｋ映像のような高解像度の映像は、高品位な映像となっている。
【０００４】
なお、現在、テレビやモニタとして市場に出ている解像度は、３８４０×２１６０や４０９６×２１６０であり、３８４０×２１６０は主にＴＶ用途、４０９６×２１６０は主にシネマ用途である。
【０００５】
しかしながら、送信側の信号が４Ｋ映像であった場合、当該映像を低解像度に分割しても、４Ｋ映像相当の伝送帯域が必要であるが、現在、放送波や映像メディアでは、４Ｋ映像の規格化されていないため、特許文献１に開示された技術では、４Ｋのような高解像度の映像を適用することができない。
【０００６】
そこで、送信側で、４Ｋ映像を低解像度の映像に分割するのではなく、図２６（ａ）に示すように、当該４Ｋ映像を、現在規格化されている上限の解像度であるＦｕｌｌ  ＨＤの映像にダウンコンバートして伝送し、受信側で、図２６（ｂ）に示すように、Ｆｕｌｌ  ＨＤ映像を４Ｋ映像にアップコンバートし、４Ｋ映像を視聴することが行われている。
【先行技術文献】
【特許文献】
【０００７】
【特許文献１】特開平６−２８４３９２号公報（１９９４年１０月７日公開）
【発明の概要】
【発明が解決しようとする課題】
【０００８】
しかしながら、４Ｋ映像を、一旦ダウンコンバートし、４Ｋ映像にアップコンバートする際の拡大縮小処理によって、映像が劣化する虞があるので、本来の４Ｋ映像が持つ高品位な映像を視聴することは困難である。
【０００９】
本発明は、上記の問題点に鑑みなされたものであって、その目的は、４Ｋ映像などの高解像度の映像を、一旦、低解像度の映像にし、再度、高解像度の映像に戻した場合、当該高解像度の映像を、劣化が少なく、高品位な状態で表示させることができる映像合成方法を提供することにある。
【課題を解決するための手段】
【００１０】
本発明の映像合成方法は、上記の課題を解決するために、
第一解像度の映像を複数に分割して得られる、当該第一解像度よりも低い第二解像度の映像を用いて、上記第一解像度の映像を合成することを特徴としている。
【００１１】
上記構成によれば、第一解像度の映像を複数に分割して得られる、上記第一解像度よりも低い第二解像度の映像を用いて、上記第一解像度の映像を合成することで、映像の拡大縮小処理を行わずに、元の解像度の映像にすることが可能となる。
【００１２】
つまり、４Ｋ映像などの高解像度の映像を、一旦、低解像度の映像にし、再度、高解像度の映像に戻した場合、当該高解像度の映像を、劣化が少なく、高品位な状態で表示させることができる。
【００１３】
従って、上記のようにして合成された第一解像度の映像は、従来のように、第一解像度の映像をダウンコンバートした後、アップコンバートして第一解像度の映像に戻すような、拡大縮小を繰り返す処理に比べて、映像劣化の少ない高品位な映像となる。
【００１４】
第一解像度の映像として、例えば放送波や映像メディアにおいて規格化されていない高解像度の映像（例えば３８４０×２１６０や４０９６×２１６０相当の解像度の映像）である場合、放送波や映像メディアに載せて伝送することができないが、上記のように、第一解像度の映像を、例えば放送波や映像メディアにおいて規格化されている低解像度の映像（例えば１９２０×１０８０の解像度の映像）に分割すれば、放送波や映像メディアに載せて伝送することが可能となる。これにより、伝送先で第二解像度の映像を合成すれば、映像劣化の少ない高品位な第一解像度の映像を表示させることが可能となる。
【００１５】
従って、上記構成によれば、特に、放送波や映像メディアにおいて現在規格化されていない高解像度の映像を、高品位な状態で表示装置に表示させることができるという効果を奏する。
【００１６】
複数に分割された第二解像度の映像のうち、少なくとも２つの第二解像度の映像を用いて、第一解像度の映像を合成するようにしてもよい。
【００１７】
上記構成によれば、少なくとも２つの第二解像度の映像を用いて第一解像度の映像を合成すれば、１つの第二解像度の映像を用いて第一解像度の映像を生成する場合のような拡大処理を行わずに済むので、合成映像の劣化を少なくすることができる。
【００１８】
好ましくは、分割して得られた全ての第二解像度の映像を用いて第一解像度の映像を合成することである。この場合には、合成映像の劣化が殆どなく、非常に高品位な合成映像を表示させることが可能となる。
【００１９】
上記第一解像度の映像は、放送波や映像メディアにおいて規格化されていない解像度の映像であり、
上記第二解像度の映像は、放送波や映像メディアにおいて規格化されている解像度の映像であることが好ましい。
【００２０】
上記第一解像度の映像は、解像度が３８４０×２１６０の映像であり、
上記第二解像度の映像は、解像度が１９２０×１０８０の映像であることが好ましい。
【００２１】
上記構成によれば、第二解像度の映像を、３Ｄ映像用フォーマット構造に従い記録された記録媒体を、既存の３Ｄ映像再生装置で再生することで、第一解像度の映像を再生することが可能となる。
【００２２】
この場合、第二解像度の映像の記録媒体への記録にも、既存の３Ｄ映像記録装置を用いることができるので、特別な機器を新たに設ける必要がない。
【００２３】
本発明の映像記録方法は、上記課題を解決するために、第一解像度の映像を、当該第一解像度よりも低い第二解像度の映像に分割し、
分割して得られた複数の第二解像度の映像を、映像再生装置で再生可能な記録媒体に記録することを特徴としている。
【００２４】
上記第一解像度の映像は、放送波や映像メディアにおいて規格化されていない解像度の映像であり、
上記第二解像度の映像は、放送波や映像メディアにおいて規格化されている解像度の映像であることが好ましい。
【００２５】
上記第一解像度の映像は、解像度が３８４０×２１６０の映像であり、
上記第二解像度の映像は、解像度が１９２０×１０８０の映像であるとき、
複数に分割された第二解像度の映像のうち、２つの第二解像度の映像を、３Ｄ映像用フォーマットで記録媒体に記録することが好ましい。
【００２６】
本発明の映像合成装置は、上記課題を解決するために、第一解像度の映像を複数に分割して得られる、当該第一解像度よりも低い第二解像度の映像を用いて、上記第一解像度の映像を合成する映像合成部を有することを特徴としている。
【００２７】
本発明の映像分割装置は、上記課題を解決するために、第一解像度の映像を、当該第一解像度よりも低い第二解像度の映像に分割する映像分割部を有することを特徴としている。
【００２８】
本発明の映像表示システムは、上記課題を解決するために、第一解像度の映像を、当該第一解像度よりも低い第二解像度の映像に分割する映像分割部と、
上記映像分割部によって得られた第二解像度の映像を用いて、上記第一解像度の映像を合成する映像合成部と、
上記映像合成部によって合成された映像を表示する表示部とを備えたことを特徴としている。
【発明の効果】
【００２９】
本発明の映像合成方法は、第一解像度の映像を複数に分割して得られる、当該第一解像度よりも低い第二解像度の映像を用いて、上記第一解像度の映像を合成することで、得られた合成画像は、従来のように、第一解像度の映像をダウンコンバートした後、アップコンバートして第一解像度の映像に戻すような、拡大縮小を繰り返す処理に比べて、映像劣化の少ない高品位な映像にすることができるという効果を奏する。
【図面の簡単な説明】
【００３０】
【図１】本発明の一実施の形態に係る映像表示システムを概略構成ブロック図であり、（ａ）は映像分割装置の概略構成ブロック図、（ｂ）は映像合成装置の概略構成ブロック図である。
【図２】図１に示す映像分割装置によって分割された分割映像のズレを説明するための図である。
【図３】３Ｄ映像用フォーマット構造の一例を示す図である。
【図４】３Ｄ映像用フォーマット構造の他の例を示す図である。
【図５】図１に示す映像合成装置に備えられた映像合成部の概略構成ブロック図である。
【図６】（ａ）（ｂ）は、分割映像を示す図であり、（ｃ）は（ａ）（ｂ）の分割映像を用いて合成した合成映像を示す図である。
【図７】効果を説明するための入力映像を示す図である。
【図８】図７に示す各入力映像を元映像として分割合成処理した場合の元映像に対する誤差の割合を示すグラフである。
【図９】（ａ）〜（ｃ）は、本実施の形態における効果を説明するための図である。
【図１０】本発明に適用可能な高解像度の映像に対する低解像度の映像の組み合わせを示す表である。
【図１１】本発明の他の実施の形態に係る映像表示システムを概略構成ブロック図であり、（ａ）は映像分割装置の概略構成ブロック図、（ｂ）は映像合成装置の概略構成ブロック図である。
【図１２】図１１に示す映像合成装置における同期化部の概略構成ブロック図である。
【図１３】図１２に示す同期化部における入力映像を示す図である。
【図１４】図１２に示す同期化部における同期化された同期化映像を示す図である。
【図１５】図１１に示す映像合成装置における映像合成部の概略構成ブロック図である。
【図１６】（ａ）〜（ｄ）は、分割映像を示す図である。
【図１７】図１６に示す分割映像を用いて合成した合成映像を示す図である。
【図１８】（ａ）〜（ｃ）は、分割映像を示す図である。
【図１９】図１８に示す分割映像を用いて合成した合成映像を示す図である。
【図２０】効果を説明するための入力映像を示す図である。
【図２１】図２０に示す各入力映像を元映像として分割合成処理した場合の元映像に対する誤差の割合を示すグラフである。
【図２２】（ａ）〜（ｄ）は、本実施の形態における効果を説明するための図である。
【図２３】（ａ）〜（ｄ）は、本実施の形態における効果を説明するための図である。
【図２４】本発明の他の実施の形態に係る映像表示システムを概略構成ブロック図であり、（ａ）は映像分割装置の概略構成ブロック図、（ｂ）は映像合成装置の概略構成ブロック図である。
【図２５】本発明の他の実施の形態に係る映像表示システムを概略構成ブロック図であり、（ａ）は映像分割装置の概略構成ブロック図、（ｂ）は映像合成装置の概略構成ブロック図である。
【図２６】（ａ）ダウンコンバートを説明するための図であり、（ｂ）はアップコンバートを説明するための図である。
【発明を実施するための形態】
【００３１】
以下、本発明の実施の形態について、詳細に説明する。
【００３２】
＜実施の形態１＞
本発明の一実施の形態について説明すれば、以下の通りである。
【００３３】
なお、本実施の形態では、本発明の映像表示システムに、３Ｄ映像記録再生技術を適用した例について説明する。
【００３４】
（映像の解像度）・・・図１０
本実施の形態を説明する前に、本発明で取り扱う映像の解像度について、図１０を参照しながら以下に説明する。図１０は、高解像度の映像（第一解像度の映像）に対する低解像度の映像（第二解像度の映像）の一覧を示す表である。ここで、高解像度の映像に対する低解像度の映像とは、高解像度の映像を分割したときに得られる低解像度の映像をいう。
【００３５】
すなわち、図１０に示す表では、高解像度の映像が３８４０×２１６０（ＱＦＨＤ）の場合には、低解像度の映像として横縦のドット数が半分の１９２０×１０８０（Ｆｕｌｌ  ＨＤ）が対応し、高解像度の映像が４０９６×２１６０（４Ｋ）の場合には、低解像度の映像として横縦のドット数が半分の２０４８×１０８０（２Ｋ）が対応し、高解像度の映像が７６８０×４３２０（スーパーハイビジョン）の場合には、低解像度の映像として横縦のドット数が４分の１の１９２０×１０８０（Ｆｕｌｌ  ＨＤ）が対応し、さらに、高解像度の映像が７６８０×４３２０（スーパーハイビジョン）の場合には、低解像度の映像として横縦のドット数が半分の３８４０×２１６０（ＱＦＨＤ）が対応していることを示している。
【００３６】
高解像度の映像と低解像度の映像との組み合わせは、図１０の表に示す関係に限定されるものではなく、他の組み合わせであってもよい。
【００３７】
なお、本実施の形態では、高解像度の映像として、現在、放送波や映像メディアにおいて規格化されていない３８４０×２１６０（ＱＦＨＤ）の映像（第一解像度の映像）を用い、低解像度の映像を、現在、放送や映像メディアにおいて規格化されている１９２０×１０８０（Ｆｕｌｌ  ＨＤ）の映像（第二解像度の映像）を用いるものとする。
【００３８】
（映像分割装置１０１、映像合成装置２０１の概略）・・・・図１
本実施の形態に係る映像表示システムは、図１（ａ）（ｂ）に示すように、高解像度の映像を複数の低解像度の映像に分割する映像分割装置１０１、分割された映像を合成して元の解像度の映像を表示する映像合成装置２０１からなる。
【００３９】
（映像分割装置１０１）
上記映像分割装置１０１は、図１（ａ）に示すように、４Ｋカメラ１１１と、４ＫＶＴＲ１１２と、復号化部１１３と、映像分割部１１４と、符号化部１１５及び映像メディア１１６を含んだ３Ｄ映像用記録システム（記録部、映像記録装置）１１７とを含んでいる。
【００４０】
上記４Ｋカメラ１１１は、解像度が３８４０×２１６０（ＱＦＨＤ）の映像を撮影可能なカメラであり、撮影した４Ｋ映像データを映像分割部１１４に出力する。なお、４Ｋカメラ１１１から出力される４Ｋ映像データは、既に復号化されているものとする。
【００４１】
また、４ＫＶＴＲ１１２は、解像度が３８４０×２１６０（ＱＦＨＤ）の映像を記録メディアに記録しており、記録した４Ｋ映像データを復号化部１１３にて復号化して、映像分割部１１４に出力する。
【００４２】
上記映像分割部１１４では、４Ｋカメラ１１１または４ＫＶＴＲ１１２から得られる、復号化された４Ｋ映像データを、解像度が１９２０×１０８０（Ｆｕｌｌ  ＨＤ）の映像に分割するようになっている。ここで、４Ｋ映像データは、４つのＦｕｌｌ  ＨＤ映像データ（分割映像データ）に分割される。この分割の方法については後述する。
【００４３】
映像分割部１１４からは、４つの分割映像データのうち、２つの分割映像データが後段の３Ｄ映像用記録システム１１７に送られる。
【００４４】
上記３Ｄ映像用記録システム１１７では、受け取った２つのＦｕｌｌ  ＨＤ映像データを、３Ｄ映像の左目用映像データ（Ｌ映像データ）、右目用映像データ（Ｒ映像データ）として、符号化部１１５で符号化され、映像メディア１１６に記録するようになっている。
【００４５】
映像メディア１１６は、ＢＤ（Ｂｌｕ−Ｒａｙ  Ｄｉｓｃ）（登録商標）のような持ち運び可能な記録媒体であってもよいし、ＨＤＤ等の装置に固定された記録媒体であってもよい。
【００４６】
つまり、３Ｄ映像用記録システム１１７では、後述する３Ｄ映像用再生システム（映像再生装置）２１１によって再生可能なフォーマットで映像データを記録可能であれば、記録媒体の種類は問わないものとする。
【００４７】
なお、映像メディア１１６への上記Ｆｕｌｌ  ＨＤ映像データの記録は、後述する３Ｄ映像用フォーマット構造を利用して行なわれる。
【００４８】
（映像合成装置２０１）
上記映像合成装置２０１は、図１（ｂ）に示すように、３Ｄ映像用再生システム２１１と、表示装置２１４とを含んでいる。
【００４９】
上記３Ｄ映像用再生システム２１１は、映像メディア２１２に記録されたＬ映像データ、Ｒ映像データを読み取って、それぞれの映像データを復号化部２１３にて復号化して、Ｌ映像、Ｒ映像として再生され、再生されたデータを、表示装置２１４に送る。
【００５０】
ここで、映像メディア２１２は、上述した３Ｄ映像用記録システム１１７に含まれる映像メディア１１６と同じであってもよい。例えば３Ｄ映像用記録システム１１７と３Ｄ映像用再生システム２１１とが一つの装置で構成される場合には、映像メディア１１６と映像メディア２１２とが同じとなる。
【００５１】
上記表示装置２１４は、同期化部２１５、映像合成部２１６、タイミング調整部２１７、表示部２１８を含んでいる。
【００５２】
上記表示装置２１４では、Ｌ映像、Ｒ映像として再生された分割映像データを、同期化部２１５にて同期を合わせ、映像合成部２１６にて４Ｋ映像に合成され、タイミング調整部２１７によって表示するタイミングが調整され、表示部２１８にて４Ｋ映像を表示するようになっている。
【００５３】
上記映像合成部２１６における映像の合成方法についての詳細は後述する。
【００５４】
なお、図１（ａ）に示す３Ｄ映像用記録システム１１７、図１（ｂ）に示す３Ｄ映像用再生システム２１１は、既存のシステムを用いる。
【００５５】
続いて、上記映像分割装置１０１の映像分割部１１４での処理について説明する。
【００５６】
（映像分割処理）
元映像ｆ（ｘ、ｙ）は、以下の式（１）となる。
【００５７】
【数１】
2013247582.tif 000003
【００５８】
式（１）において、Ｍ，Ｎをｘ方向（横方向）、ｙ方向（縦方向）の解像度とする。
【００５９】
はじめに、マスク処理後の映像、ダウンコンバート後の映像について説明する。
【００６０】
式（１）で示される元映像に対して、マスク処理（フィルター処理）を施した後の映像、すなわち、マスク処理後の映像は、以下の式（２）で示される。
【００６１】
【数２】
2013247582.tif 000004
【００６２】
式（２）において、ａ，ｂはマスクサイズを表す。ａ＝１，ｂ＝１の時、マスクサイズは３×３となる。
【００６３】
また、式（１）で示される元映像に対して、ダウンコンバートを施した後の映像、すなわち、ダウンコンバート後の映像は、以下の式（３）で示される。
【００６４】
【数３】
2013247582.tif 000005
【００６５】
式（３）において、ｍ、ｎは縮小率を表す。ｍ＝２、ｎ＝２の時、ｘ方向に１／２、ｙ方向に１／２縮小される。
【００６６】
続いて、式（１）で示される元映像に対して、分割処理を施した後の映像、すなわち、分割後の映像は、以下の式（４）で示される。
【００６７】
【数４】
2013247582.tif 000006
【００６８】
式（４）において、ｋ、ｌは分割映像間のズレ量を表しており、ｇｋ、ｌは、ｘ方向にｋ、y方向にｌ画素分ズレていることを表す。また、ｋ＜ｍ、ｌ＜ｎとなる。
【００６９】
ここで、式（４）を用いた映像分割処理の一例として、８近傍との平均により、映像を分割する場合について説明する。ここで、上記の８近傍とは、注目画素の上下、左右、斜め（２方向）の合計８つの画素を示す。
【００７０】
式（４）において設定するパラメータを以下の式（５）に示す。
【００７１】
【数５】
2013247582.tif 000007
【００７２】
上記パラメータを適用したとき、式（４）から、分割映像の画素値ｇ０、０（１、１）、ｇ１、０（１、１）、ｇ０、０（２、２）は、それぞれ、式（６）、（７）、（８）となる。
【００７３】
【数６】
2013247582.tif 000008
【００７４】
【数７】
2013247582.tif 000009
【００７５】
【数８】
2013247582.tif 000010
【００７６】
上記式（６）、（７）、（８）で示された各ｆ（ｘ、ｙ）の位置を示すと、図２のようになる。
【００７７】
上記のように分割処理した後、３Ｄ映像用記録システム１１７にて分割映像が映像メディア１１６に記録される。
【００７８】
（３Ｄ映像記録処理）
図３は、Ｆｒａｍｅ  ｐａｃｋｉｎｇ方式の３Ｄ映像用フォーマット構造を示す。
【００７９】
図４は、Ｓｉｄｅ−ｂｙ−Ｓｉｄｅ（Ｆｕｌｌ）方式の３Ｄ映像用フォーマット構造を示す。
【００８０】
ここで、図３、図４は、High-Definition Multimedia Interface Specification Version 1.4a Extraction of 3D Signaling Portionの抜粋である。図３は、Figure 8-3 3D structure (Frame packing for progressive format)、図４は、Figure H-4 3D structure(Side-by-Side(Full))に対応している。
【００８１】
３Ｄ映像用記録システム１１７において、分割映像は、図３または図４に示す３Ｄ映像用フォーマット構造中のＬ、Ｒ映像と入れ替えられて、映像メディア１１６に記録される。４Ｋ映像を４つのＦｕｌｌ  ＨＤ映像に分割した場合の分割映像を、ｇ０、０、ｇ１、１、ｇ１、０、ｇ０、１とする。
【００８２】
ここで、４つの分割映像のうち、例えばｇ０、０、ｇ１、１を映像メディア１１６に記録する場合、図３及び図４に示すように、Ｌ映像はｇ０、０に、Ｒ映像はｇ１、１に入れ替えて、当該映像メディア１１６に記録される。また、ｇ０、０、ｇ１、１の代わりに、ｇ１、０、ｇ０、１を使用することも可能である。
【００８３】
なお、３Ｄ映像用フォーマット構造により、表示装置２１４の同期化部２１５での同期方法が異なる。すなわち、図３の場合、フレームメモリを用いることで、同期化される。また、図４の場合、ラインメモリを用いることで、同期化される。
【００８４】
続いて、映像合成装置２０１における映像合成処理について説明する。
【００８５】
（映像合成処理）
図５は、映像合成装置２０１の映像合成部２１６の概略構成を示すブロック図である。
【００８６】
上記映像合成部２１６は、図５に示すように、画素合成部２１９、画素補間部２２０を含んでいる。
【００８７】
ここで、映像分割装置１０１の映像分割部１１４において、４Ｋ映像を分割した分割映像は、ｇ０、０、ｇ０、１、ｇ１、０、ｇ１、１の４種類であり、このうちの２種類の分割映像ｇ０、０、ｇ１、１が３Ｄ映像用記録システム１１７にて映像メディア１１６に記録されているものとする。
【００８８】
従って、分割映像ｇ０、０（ｘ、ｙ）、分割映像ｇ１、１（ｘ、ｙ）は、画素合成部２１９にて、合成される。このとき、画素補間部２２０において、分割映像ｇ１、０（ｘ、ｙ）、分割映像ｇ０、１（ｘ、ｙ）が補間される。具体的には、分割映像ｇ１、０、分割映像ｇ０、１に相当する画素が、画素補間部２２０にて補間される。
【００８９】
このようにして得られた合成映像をｆ（ｘ、ｙ）とすると、以下の式（９）で表すことができる。
【００９０】
【数９】
2013247582.tif 000011
【００９１】
なお、ｆ（ｘ、ｙ）中の、ｇ０、０（ｘ’、ｙ’）、ｇ１、１（ｘ’、ｙ’）のみが、画素合成部２１９で合成され、ｇ１、０（ｘ’、ｙ’）、ｇ０、１（ｘ’、ｙ’）は合成されておらず、画素補間部２２０にて補間処理で得られる。
【００９２】
画素補間部２２０では、ｇ１、０（ｘ’、ｙ’）、ｇ０、１（ｘ’、ｙ’）をそれぞれ以下の式（１０）、（１１）によって補間している。
【００９３】
【数１０】
2013247582.tif 000012
【００９４】
【数１１】
2013247582.tif 000013
【００９５】
以上のように、映像合成部２１６において、図６（ａ）（ｂ）に示す分割映像ｇ０、０（ｘ、ｙ）、分割映像ｇ１、１（ｘ、ｙ）から、図６（ｃ）に示す合成映像ｆ（ｘ、ｙ）が生成される。
【００９６】
このようにして得られた合成映像の評価（効果）について以下に説明する。
【００９７】
（効果）
上記構成の映像表示システムにおける効果について、図７〜図９を参照しながら以下に説明する。
【００９８】
ここでは、効果を示すため、映像によるシミュレーションを行った。
【００９９】
シミュレーション手順は次の通りである。
【０１００】
（１）元映像を分割
（２）ＪＰＥＧへエンコード
（３）映像をデコード後、合成
上記（１）について、以下のパラメータにより、映像を４枚に分割する。
【０１０１】
ｍ＝ｎ＝２
Ｍａｓｋ（ｓ，ｔ）＝１
ｓ＝０、ｔ＝０
つまり、間引き処理により分割する。
【０１０２】
合成は、分割映像４枚のうち、２枚の映像を用いて、合成する。補間処理は、上述した式（１０）、及び式（１１）を用いて行った。
【０１０３】
以上の条件で行ったシミュレーション結果について説明する。
【０１０４】
入力映像は、図７に示す（１）〜（５）の映像を用いて行った。
【０１０５】
なお、上記シミュレーションでは、Ｆｕｌｌ  ＨＤ（１９８０×１０８０）の画像を、９６０×５４０に分割し、再度１９８０×１０８０に合成したものである。なお、本シミュレーションによれば、入力画像が、４Ｋ画像でも、Ｆｕｌｌ  ＨＤ画像でも同様の結果を得ることができる。
【０１０６】
計算結果と元映像を比較するため、得られた映像と元映像との誤差を計算した。ここでは、分割された１枚の映像を拡大処理（Ｌａｎｃｚｏｓ補間）した映像と元映像の誤差を１００とした場合の誤差を示した表を、図８に示す。
【０１０７】
図８に示した表から、本技術を用いた場合、（１）〜（５）の全ての入力映像において、拡大処理した映像に比べて、誤差が少なくなっていることがわかる。
【０１０８】
このことは、元映像、及び合成映像、拡大処理映像を示した図９（ａ）〜図９（ｃ）からもわかる。すなわち、本実施の形態を適用して得られた合成映像は、拡大処理映像に比べ、輪郭がはっきりしていることがわかる。
【０１０９】
上記のようにして合成された映像は、従来のように、４Ｋ映像（第一解像度の映像）をダウンコンバートした後、アップコンバートして４Ｋ映像に戻すような、拡大縮小を繰り返す処理に比べて、映像劣化の少ない高品位な映像となる。
【０１１０】
従って、放送波や映像メディアにおいて現在規格化されていない高解像度の映像である４Ｋ映像を、高品位な状態で表示装置に表示させることができるという効果を奏する。
【０１１１】
なお、本発明では、上述のように、４Ｋカメラで撮影した映像や、４Ｋ映像として作成されたＣＧ等を入力映像とした場合、効果が大きく、低解像の映像をアップコンバートした映像を入力映像とした場合、効果は小さくなる。
【０１１２】
また、本実施の形態では、分割映像を３Ｄ映像用フォーマット構造を利用して映像メディア１１６に記録する例について説明したが、分割映像を記録する方式として、３Ｄ映像用フォーマット構造に限定されるものではない。
【０１１３】
例えば、３Ｄ用映像フォーマット構造を利用する場合には、２つの分割映像のみが映像メディア１１６に記録されるため、合成処理の際、映像メディア１１６に記録されていない残りの分割映像については補間処理を行う必要がある。このため、元映像と合成映像との誤差を十分に小さくすることができない。
【０１１４】
そこで、以下の実施の形態２〜４では、元映像を分割した分割映像を全て用いて合成映像を生成する例について説明する。これにより、元映像と合成映像との誤差を十分に小さくすることができる。
【０１１５】
＜実施の形態２＞
本発明の他の実施の形態について説明すれば、以下の通りである。
【０１１６】
本実施の形態では、前記実施の形態１とは異なり、元映像を分割した分割映像を全て用いて合成映像を生成する処理について説明する。
【０１１７】
なお、本実施の形態では、前記実施の形態１と同じ機能を有する部材には同じ符号を付記し、詳細な説明は省略する。
【０１１８】
（映像分割装置１０２、映像合成装置２０２の概略）・・・・図１１
本実施の形態に係る映像表示システムは、図１１（ａ）（ｂ）に示すように、高解像度の映像を複数の低解像度の映像に分割する映像分割装置１０２、分割された映像を合成して表示する映像合成装置２０２からなる。
【０１１９】
（映像分割装置１０２）
上記映像分割装置１０２は、前記実施の形態１の映像分割装置１０１とほぼ同じ構成であって、図１１（ａ）に示すように、４Ｋカメラ１１１と、４ＫＶＴＲ１１２と、復号化部１１３と、映像分割部１１４と、符号化部１１５及び映像メディア１１６を含んでいる。
【０１２０】
ここで、本実施の形態では、前記実施の形態１とは異なり、元映像を分割した４つの分割映像を全て用いるため、分割映像それぞれを一つの映像メディアに記録する。この場合、映像メディア１１６は、４枚の映像メディア０〜３を用いることになる。この映像メディア１１６の枚数に合わせて、符号化部１１５も４つの符号化部０〜３を備えている。
【０１２１】
つまり、映像分割部１１４において元映像を４つの分割映像に分割し、４つの分割映像それぞれが、符号化部１１５の符号化部０〜３によって符号化され、映像メディア１１６の映像メディア０〜３に記録される。
【０１２２】
なお、上記映像分割部１１４による元映像の分割方法は、前記実施の形態１と同じである。
【０１２３】
（映像合成装置２０２）
上記映像合成装置２０２は、前記実施の形態１の映像合成装置２０１とは異なり、図１１（ｂ）に示すように、３Ｄ映像用再生システム２１１の代わりに、映像再生部２２１を備えた構成となっている。
【０１２４】
上記映像再生部２２１は、４つの分割映像をそれぞれ独立して再生するための映像再生部０〜３を備えている。これら４つの映像再生部０〜３は、それぞれ映像メディア０〜３を再生して、表示装置２１４に出力するようになっている。
【０１２５】
但し、４つの映像再生部０〜３のうち、映像再生部０は、後述する読み出し信号を発生させるための基準となる分割映像（映像メディア０に記録された分割映像）を再生し、残りの３つの映像再生部１〜３は、表示装置２１４からの読み出し信号を受信することで、映像メディア１〜３から分割映像を再生するようになっている。
【０１２６】
上記表示装置２１４は、前記実施の形態１とほぼ同じ構造であるが、同期化部２１５、映像合成部２１６、タイミング調整部２１７、表示部２１８に加えて、４つの分割映像を用いて合成するために必要な構成として、映像読み出し信号発生部２２２とフレームメモリ２２３とを含んでいる。
【０１２７】
上記映像読み出し信号発生部２２２は、映像再生部２２１の映像再生部０に接続されており、当該映像再生部０からの分割映像を基準分割映像として受け取り、同期化部２１５に送ると共に、映像再生部２２１の映像再生部１〜３に対して読み出し信号を送る。
【０１２８】
同期化部２１５では、映像再生部２２１から送られた分割映像を一旦、フレームメモリ２２３に格納し、再生された各分割映像の垂直同期信号、及びフレーム番号を合わせた後、各分割映像を映像合成部２１６に送る。この同期化部２１５の同期化についての詳細は後述する。
【０１２９】
映像合成部２１６では、同期化部２１５から受け取った４つの分割映像を全て用いて合成映像（４Ｋ映像）を生成する。
【０１３０】
但し、映像合成部２１６では、４つの分割映像の全てを用いて４Ｋ映像を合成する方法以外に、４つの分割映像のうち３つの分割映像を用いて４Ｋ映像を合成する方法、４つの分割映像のうち２つの分割映像を用いて４Ｋ映像を合成する方法を可能としている。
【０１３１】
これらの映像合成の詳細については後述する。
【０１３２】
（同期化部２１５）
ここで、上記同期化部２１５の詳細について、図１２〜図１４を参照しながら以下に説明する。
【０１３３】
図１２は、同期化部２１５の概略構成ブロック図を示している。
【０１３４】
図１３は、入力映像０〜３のタイミングチャートを示している。
【０１３５】
図１４は、同期化映像０〜３のタイミングチャートを示している。
【０１３６】
同期化部２１５は、図１２に示すように、フレームメモリＩ/Ｆ２２４、フレームメモリ書込み部２２５、フレームメモリ読み出し部２２６、読み出しタイミング信号発生部２２７、フレーム差分値計算部２２８を含んでいる。
【０１３７】
上記フレームメモリＩ/Ｆ２２４は、フレームメモリ２２３に接続され、上記読み出しタイミング信号発生部２２７は、読み出しタイミング保持部２３０に接続されている。
【０１３８】
上記構成の同期化部２１５は、映像再生部２２１から入力された分割映像（入力映像０〜３）は、図１３に示すように、垂直同期信号、及びフレーム番号が各入力映像で異なっている。この入力映像の垂直同期信号、及びフレーム番号が合うように調整して、図１４に示すような同期化映像０〜３を後段のタイミング調整部２１７に送る。
【０１３９】
同期化部２１５において、まず、入力映像は、フレームメモリ書込み部２２５で調停され、フレームメモリＩ/Ｆ２２４を介して、ＤＤＲメモリ等のフレームメモリ２２３に書き込まれる。
【０１４０】
フレームメモリ２２３に書き込まれた入力映像は、垂直同期信号に合わせて、当該フレームメモリ２２３から読み出される。
【０１４１】
フレームメモリ読み出し部２２６では、フレームメモリ２２３に書き込まれた入力映像のフレーム番号を合わせるため、当該フレームメモリ読み出し部２２６の各出力線に接続されたフレーム差分値計算部２２８にて、読み出された各入力映像間の差分が計算され、差分値が小さくなるように、読み出しタイミング信号発生部２２７から、フレームメモリ読み出し部２２６へタイミング信号を送信する。
【０１４２】
上記読み出しタイミングは、ユーザがリモコン３００により設定することも可能である。つまり、ユーザによってリモコン３００が操作されると、当該リモコン３００からの信号を信号受信部２２９が受け取り、読み出しタイミング信号発生部２２７に接続された読み出しタイミング保持部２３０に保持され、必要に応じて、読み出しタイミング信号発生部２２７に対して読み出し指示の信号を出力する。
【０１４３】
（映像合成部２１６）
ここで、上記映像合成部２１６の詳細について、図１５を参照しながら以下に説明する。
【０１４４】
図１５は、映像合成部２１６の概略構成ブロック図を示している。
【０１４５】
映像合成部２１６は、図１５に示すように、ズレ量計算部２３３、画素合成部２３４、画像補間部２３５を含んでいる。
【０１４６】
上記ズレ量計算部２３３は、同期化部２１５にて同期化された同期化映像０〜３のそれぞれが入力され、同期化映像間の相関値から、各同期化映像のズレ量を計算する。
【０１４７】
上記画素合成部２３４では、上記ズレ量計算部２３３で得られた各同期化映像のズレ量より、同期化映像０〜３を合成する。
【０１４８】
続いて、画素合成部２３４にて合成して得られた合成映像に対して、後段の画像補間部２３５にて、画素間を補間する補間処理を施す。なお、この画像補間部２３５における補間処理は必要に応じて行えばよく、必須の処理ではない。通常、元映像が４つに分割され、４つの分割映像全て用いて合成を行うときには、画像補間部２３５による補間処理を必要としないが、それ以外の場合には、画素間を補間するために補間処理が必要となる。
【０１４９】
また、同期化映像のズレ量は、ズレ量計算部２３３で求める以外に、ユーザが設定するようにしてもよい。この場合には、ユーザが操作するリモコン３００と、リモコン３００の操作信号を受け付ける信号受信部２２９と、予め設定された各同期化映像のズレ量を保持するズレ量保持部２３１を設ける必要がある。
【０１５０】
つまり、ユーザがリモコン３００を操作してズレ量の設定を指示すると、操作信号が信号受信部２２９を介してズレ量保持部２３１に届き、当該ズレ量保持部２３１に保持された各同期化映像のズレ量が切換部２３２に出力される。この切換部２３２によって、ズレ量計算部２３３からのズレ量から、ズレ量保持部２３１からのズレ量に切り換えられることで、ユーザが設定したズレ量が画素合成部２３４に出力される。
【０１５１】
続いて、映像合成装置２０２における映像合成処理について説明する。
【０１５２】
ここで、映像分割装置１０２の映像分割部１１４において、４Ｋ映像を分割した分割映像は、ｇ０、０、ｇ０、１、ｇ１、０、ｇ１、１の４種類である。
【０１５３】
本実施の形態では、４つの分割映像全てを用いて合成する映像合成処理（１）と、４つの分割映像のうち３つの分割映像を用いて合成する映像合成処理（２）とについて説明する。なお、４つの分割映像のうち２つの分割映像を用いて合成する映像合成処理については、前記実施の形態１で説明したので、ここではその説明は省略する。
【０１５４】
（映像合成処理（１））
４つの分割映像を用いた合成処理について、図１６及び図１７を参照しながら以下に説明する。
【０１５５】
まず、ズレ量計算部２３３において求めたズレ量が特定された映像を、以下の式（１２）とする。このときの各分割映像を、図１６（ａ）〜（ｄ）に示す。
【０１５６】
【数１２】
2013247582.tif 000014
【０１５７】
式（１２）において、ｇ１、０（ｘ、ｙ）は、ｇ０、０（ｘ、ｙ）に対して、０方向に１画素ずれていることを表している。
【０１５８】
式（１２）で示された分割映像を合成処理した後の合成映像は、以下の式（１３）で示される。このときの合成映像ｆ（ｘ、ｙ）は、図１７に示すようになる。
【０１５９】
【数１３】
2013247582.tif 000015
【０１６０】
なお、この場合、画像補間部２３５における補間処理は行わない。
【０１６１】
以上のようにして求めた合成映像を、後段のタイミング調整部２１７に出力され、表示部２１８にて合成映像が表示される。
【０１６２】
（映像合成処理（２））
４つの分割映像のうち、３つの分割映像を用いた合成処理について、図１８及び図１９を参照しながら以下に説明する。
【０１６３】
まず、ズレ量計算部２３３において求めたズレ量が特定された映像を、以下の式（１４）とする。このときの各分割映像を、図１８（ａ）〜（ｃ）に示す。
【０１６４】
【数１４】
2013247582.tif 000016
【０１６５】
式（１４）で示された分割映像を合成処理した後の合成映像は、以下の式（１５）で示される。このときの合成映像ｆ（ｘ、ｙ）は、図１９に示すようになる。
【０１６６】
【数１５】
2013247582.tif 000017
【０１６７】
なお、本映像合成処理では、式（１４）からもわかるように、分割映像ｇ１、１が得られていないため、この分割映像ｇ１、１を得るために、画像補間部２３５を用いる。この場合、隣接した画素に対して重み付けすることで、求めることができる。例えば、８近傍の画素の平均により求める場合、以下の式（１６）によって求めることになる。
【０１６８】
【数１６】
2013247582.tif 000018
【０１６９】
以上のようにして求めた合成映像を、後段のタイミング調整部２１７に出力され、表示部２１８にて合成映像が表示される。
【０１７０】
このようにして得られた合成映像の評価（効果）について以下に説明する。
【０１７１】
（効果）
上記構成の映像表示システムにおける効果について、図２０〜図２３を参照しながら以下に説明する。
【０１７２】
ここでは、効果を示すため、映像によるシミュレーションを行った。
【０１７３】
シミュレーション手順は次の通りである。
【０１７４】
（１）元映像を分割
（２）ＪＰＥＧへエンコード
（３）映像をデコード後、合成
上記（１）について、以下のパラメータにより、映像を４枚に分割する。
【０１７５】
ｍ＝ｎ＝２
Ｍａｓｋ（ｓ，ｔ）＝１
ｓ＝０、ｔ＝０
つまり、間引き処理により分割する。
【０１７６】
上記（３）について、合成処理を３種類の方法を用いた。すなわち、４Ｋ映像を分割して得られた４つのＦｕｌｌ  ＨＤ映像（分割映像）の全てを用いて合成処理を行う方法１、４つの分割映像のうち３つの分割映像を用いて合成処理を行う方法２、４つの分割映像のうち２つの分割映像を用いて合成処理を行う方法３である。
【０１７７】
方法１は、図１６及び図１７で示した合成処理、方法２は、図１８及び図１９で示した合成処理、方法３は、前記実施の形態１で説明した合成処理である。
【０１７８】
以上の条件で行ったシミュレーション結果について説明する。
【０１７９】
入力映像は、図２０に示す（１）〜（５）の映像を用いて行った。
【０１８０】
計算結果と元映像を比較するため、方法１〜３により得られた映像と元映像との誤差を計算した。分割された１枚の映像を拡大処理（Ｌａｎｃｚｏｓ補間）した映像と元映像の誤差を１００とした場合の誤差を示した表を、図２１に示す。
【０１８１】
本技術を用いた場合、拡大処理した映像に比べて、誤差が少なくなっていることが分かる。
【０１８２】
また、得られた映像を図２２（ａ）〜（ｄ）に示す。ここで、図２２（ａ）は、拡大処理映像、図２２（ｂ）は、方法１で得られた映像、図２２（ｃ）は、方法２で得られた映像、図２２（ｄ）は、方法３で得られた映像である。この図からも、拡大処理映像に比べ、方法１〜３で得られた映像の輪郭がはっきりしていることが分かる。
【０１８３】
実際の写真や文字の映像を合成処理した場合の比較した映像を図２３（ａ）〜（ｄ）に示す。ここで、図２３（ａ）は、拡大処理映像、図２３（ｂ）は、方法１で得られた映像、図２３（ｃ）は、方法２で得られた映像、図２３（ｄ）は、方法３で得られた映像である。この図からも、拡大処理映像に比べ、方法１〜３で得られた映像の輪郭がはっきりしていることが分かる。
【０１８４】
本実施の形態では、４Ｋ映像を分割して得られた４つの分割映像を４つの映像メディアにそれぞれ記録し、記録した映像メディアを再生して合成映像を生成する例について説明したが、以下の実施の形態３では、４Ｋ映像を分割して得られた４つの分割映像をそれぞれ放送波として送信し、受信側で合成処理を行う例について説明する。
【０１８５】
＜実施の形態３＞
本発明の他の実施の形態について説明すれば、以下の通りである。
【０１８６】
本実施の形態では、前記実施の形態２とは異なり、分割映像を放送波によって伝送し、受信側で分割映像を全て用いて合成映像を生成する処理について説明する。
【０１８７】
なお、本実施の形態では、前記実施の形態２と同じ機能を有する部材には同じ符号を付記し、詳細な説明は省略する。
【０１８８】
（映像分割装置１０３、映像合成装置２０３の概略）・・・・図２４
本実施の形態に係る映像表示システムは、図２４（ａ）（ｂ）に示すように、高解像度の映像を複数の低解像度の映像に分割する映像分割装置１０３、分割された映像を合成して表示する映像合成装置２０３からなる。
【０１８９】
（映像分割装置１０３）
上記映像分割装置１０３は、前記実施の形態２の映像分割装置１０２とほぼ同じ構成であって、図２４（ａ）に示すように、４Ｋカメラ１１１と、４ＫＶＴＲ１１２と、復号化部１１３と、映像分割部１１４と、符号化部１１５及び映像メディア１１６を含んでいる。
【０１９０】
ここで、本実施の形態では、前記実施の形態２とは異なり、元映像を分割した４つの分割映像それぞれを、符号化部１１５によって符号化した後、放送波として伝送するようになっている。放送波として送信するための設備として、送出設備１１８を備えている。
【０１９１】
上記送出設備１１８は、符号化部１１５の符号化部０〜３に対応するように、送出設備０〜３を備えている。
【０１９２】
つまり、分割処理された映像は、符号化されＦｕｌｌ  ＨＤ映像として送出設備より放送波として伝送される。この場合、分割映像は４つあるので、４つの分割映像は、それぞれ独立して放送波として伝送されることになる。この場合の放送波は、例えば、地上デジタル、及びＢＳ，ＣＳ放送、ケーブル放送として伝送される。
【０１９３】
（映像合成装置２０３）
上記映像合成装置２０３は、前記実施の形態２の映像合成装置２０２とは異なり、図２４（ｂ）に示すように、映像再生部２２１の代わりに、放送波受信部２３６を備えた構成となっている。
【０１９４】
上記放送波受信部２３６は、４つの分割映像の放送波をそれぞれ独立して受信するための受信部０〜３を備えている。これら４つの受信部０〜３は、それぞれ分割映像に対応する放送波０〜３を受信して、表示装置２１４に出力するようになっている。
【０１９５】
上記表示装置２１４は、前記実施の形態２とほぼ同じ構造であるが、同期化部２１５、映像合成部２１６、タイミング調整部２１７、表示部２１８、フレームメモリ２２３に加えて、符号化された放送波を復号するための復号化部２３７を含んでいる。
【０１９６】
上記復号化部２３７は、４つの受信部０〜３それぞれから出力される放送波を復号するために、４つの復号化部０〜３を含み、復号化後は分割映像として、同期化部２１５に送る。
【０１９７】
同期化部２１５では、復号化部２３７から送られた分割映像を一旦、フレームメモリ２２３に格納し、再生された各分割映像の垂直同期信号、及びフレーム番号を合わせた後、各分割映像を映像合成部２１６に送る。この同期化部２１５の同期化については、前記実施の形態２と同じであるので説明は省略する。
【０１９８】
映像合成部２１６では、同期化部２１５から受け取った４つの分割映像を全て用いて合成映像（４Ｋ映像）を生成する。
【０１９９】
但し、映像合成部２１６では、４つの分割映像の全てを用いて４Ｋ映像を合成する方法以外に、４つの分割映像のうち３つの分割映像を用いて４Ｋ映像を合成する方法、４つの分割映像のうち２つの分割映像を用いて４Ｋ映像を合成する方法を可能としている。
【０２００】
これらの映像合成の詳細については、前記実施の形態２と同じであるので説明は省略する。
【０２０１】
上記構成の映像表示システムを用いても、前記実施の形態２と同様の効果、すなわち、元映像と合成映像との差が非常に小さい、高品位な合成映像を生成することができるという効果を奏する。
【０２０２】
本実施の形態では、４Ｋ映像を分割して得られた４つの分割映像を４つの放送波として伝送し、受信側で、分割映像を合成して合成映像を生成する例について説明したが、以下の実施の形態４では、４Ｋ映像を分割して得られた４つの分割映像を、それぞれ映像メディアに記録し、一つの分割映像は再生部で再生して直接表示装置に提供し、残りの３つの分割映像はインターネット放送経由で表示装置に提供し、表示装置で合成処理を行う例について説明する。
【０２０３】
＜実施の形態４＞
本発明の他の実施の形態について説明すれば、以下の通りである。
【０２０４】
本実施の形態では、前記実施の形態３とは異なり、全ての分割映像をそれぞれ映像メディアに記録し、一つの分割映像を直接再生して表示装置に提供し、残りの分割映像を、ビデオ・オン・デマンド（ＶＯＤ）等のインターネット放送で表示装置に提供して、分割映像を全て用いて合成映像を生成する処理について説明する。
【０２０５】
なお、本実施の形態では、前記各実施の形態と同じ機能を有する部材には同じ符号を付記し、詳細な説明は省略する。
【０２０６】
（映像分割装置１０４、映像合成装置２０４の概略）・・・・図２５
本実施の形態に係る映像表示システムは、図２５（ａ）（ｂ）に示すように、高解像度の映像を複数の低解像度の映像に分割する映像分割装置１０４、分割された映像を合成して表示する映像合成装置２０４からなる。
【０２０７】
（映像分割装置１０４）
上記映像分割装置１０４は、前記実施の形態２の映像分割装置１０２とほぼ同じ構成であって、図２５（ａ）に示すように、４Ｋカメラ１１１と、４ＫＶＴＲ１１２と、復号化部１１３と、映像分割部１１４と、符号化部１１５及び映像メディア１１６を含んでいる。
【０２０８】
上記映像分割部１１４による元映像の分割処理については、前記実施の形態２と同じであるので説明は省略する。
【０２０９】
（映像合成装置２０４）
上記映像合成装置２０４は、前記実施の形態２の映像合成装置２０２とは異なり、図２５（ｂ）に示すように、映像再生部２３８は一つであり、その代わりに、インターネット放送２３９が接続された構成となっている。
【０２１０】
映像再生部２３８は、後述する読み出し信号を発生させるための基準となる分割映像（映像メディア０に記録された分割映像）を再生（復号化を施す）し、再生信号を表示装置２１４内の映像読み出し信号発生部２２２に出力することで、当該映像読み出し信号発生部２２２から読み出し信号をインターネット放送２３９に配信する。
【０２１１】
インターネット放送２３９は、上記読み出し信号を受信して、残りの３つの分割映像を表示装置２１４に配信するようになっている。
【０２１２】
上記表示装置２１４は、前記実施の形態２とほぼ同じ構造であるが、同期化部２１５、映像合成部２１６、タイミング調整部２１７、表示部２１８、フレームメモリ２２３に加えて、符号化されたインターネット放送２３９から配信される信号を復号化するための復号化部２４０を含んでいる。
【０２１３】
上記復号化部２４０は、インターネット放送２３９から配信される信号を復号して、復号化後は分割映像として、同期化部２１５に送る。
【０２１４】
同期化部２１５では、映像再生部２３８によって再生された分割映像、及びインターネット放送２３９から配信され、復号化部２４０を経由した分割映像を一旦、フレームメモリ２２３に格納し、再生された各分割映像の垂直同期信号、及びフレーム番号を合わせた後、各分割映像を映像合成部２１６に送る。この同期化部２１５の同期化については、前記実施の形態２と同じであるので説明は省略する。
【０２１５】
映像合成部２１６では、同期化部２１５から受け取った４つの分割映像を全て用いて合成映像（４Ｋ映像）を生成する。
【０２１６】
但し、映像合成部２１６では、４つの分割映像の全てを用いて４Ｋ映像を合成する方法以外に、４つの分割映像のうち３つの分割映像を用いて４Ｋ映像を合成する方法、４つの分割映像のうち２つの分割映像を用いて４Ｋ映像を合成する方法を可能としている。
【０２１７】
これらの映像合成の詳細については、前記実施の形態２と同じであるので説明は省略する。
【０２１８】
上記構成の映像表示システムを用いても、前記実施の形態２と同様の効果、すなわち、元映像と合成映像との差が非常に小さい、高品位な合成映像を生成することができるという効果を奏する。
【０２１９】
なお、上述した各実施の形態では、何れも元映像として解像度が４Ｋの映像を用い、そして、分割映像として解像度がＦｕｌｌ  ＨＤ映像を用いた例について説明したが、これに限定されるものではない。元映像（高解像度の映像）と分割映像（低解像度の映像）との関係が、例えば図１０に示す表示に記載した組み合わせであってもよい。
【０２２０】
つまり、高解像度の映像が、４Ｋ映像よりも高い解像度の映像であっても、上述した各実施の形態に開示された技術を用いることで、高品位な合成映像を得ることが可能である。
【０２２１】
また、上述した各実施形態では、第一解像度の映像を、放送波や映像メディアにおいて規格化されていない解像度の映像、第二解像度の映像を、放送波や映像メディアにおいて規格化されている解像度の映像として説明したが、これに限定されるものではなく、第二解像度の映像が第一解像度の映像よりも低い解像度であれば、放送波や映像メディアにおいて規格化された解像度の映像である必要はない。つまり、第一解像度の映像、第二解像度の映像の両方が、放送波や映像メディアにおいて規格化されていない解像度の映像であっても、本発明を適用することができる。また、逆に、第一解像度の映像、第二解像度の映像の両方が、放送波や映像メディアにおいて規格化されている解像度の映像であっても、本発明を適用することができる。
【０２２２】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０２２３】
本発明は、現在、放送波や映像メディアにおいて規格化されていない４Ｋ等の高解像度を表示するためのシステムに利用することができる。
【符号の説明】
【０２２４】
１０１  映像分割装置
１０２  映像分割装置
１０３  映像分割装置
１０４  映像分割装置
１１１  ４Ｋカメラ
１１２  ＫＶＴＲ
１１３  復号化部
１１４  映像分割部
１１５  符号化部
１１６  映像メディア
１１７  ３Ｄ映像用記録システム
１１８  送出設備
２０１  映像合成装置
２０２  映像合成装置
２０３  映像合成装置
２０４  映像合成装置
２１１  ３Ｄ映像用再生システム
２１２  映像メディア
２１３  復号化部
２１４  表示装置
２１５  同期化部
２１６  映像合成部
２１７  タイミング調整部
２１８  表示部
２１９  画素合成部
２２０  画素補間部
２２１  映像再生部
２２２  映像読み出し信号発生部
２２３  フレームメモリ
２２７  読み出しタイミング信号発生部
２２８  フレーム差分値計算部
２２９  信号受信部
２３０  読み出しタイミング保持部
２３１  ズレ量保持部
２３２  切換部
２３３  ズレ量計算部
２３４  画素合成部
２３５  画像補間部
２３６  放送波受信部
２３７  復号化部
２３８  映像再生部
２３９  インターネット放送
２４０  復号化部
３００  リモコン
【図１】
2013247582.tif 000019
【図２】
2013247582.tif 000020
【図３】
2013247582.tif 000021
【図４】
2013247582.tif 000022
【図５】
2013247582.tif 000023
【図６】
2013247582.tif 000024
【図７】
2013247582.tif 000025
【図８】
2013247582.tif 000026
【図９】
2013247582.tif 000027
【図１０】
2013247582.tif 000028
【図１１】
2013247582.tif 000029
【図１２】
2013247582.tif 000030
【図１３】
2013247582.tif 000031
【図１４】
2013247582.tif 000032
【図１５】
2013247582.tif 000033
【図１６】
2013247582.tif 000034
【図１７】
2013247582.tif 000035
【図１８】
2013247582.tif 000036
【図１９】
2013247582.tif 000037
【図２０】
2013247582.tif 000038
【図２１】
2013247582.tif 000039
【図２２】
2013247582.tif 000040
【図２３】
2013247582.tif 000041
【図２４】
2013247582.tif 000042
【図２５】
2013247582.tif 000043
【図２６】
2013247582.tif 000044